(57)【要約】【課題】光学素子を保持する保持部材のネジ止めで光学素子が変形しない光走査装置を提供する。【解決手段】筐体１１に保持部材１２をネジ止めする際に同じネジを使うとミラー２２に捻れが発生する。ネジ１８および１８’をそれぞれ右ネジ、左ネジとすることで保持部材１２をネジ１８で締め付けた際の供回りによる保持部材１２の回動は作業者からみて反時計回りとなり、対して保持部材１２’をネジ１８’で締め付けた際の供回りによる保持部材１２の回動は作業者からみて時計回りとなるので保持部材１２、１２’によりミラー２２は長さ方向両端を同じ方向に回動するように力がかかるため、ミラー２２が捻れることはない。【選択図】図３
2008096785.tif 000002
【特許請求の範囲】
【請求項１】
光源からの光を偏向素子にて偏向し、被走査面上を走査露光する光走査装置であって、
前記光源から発せられた光を反射又は屈折させる光学素子と、
前記光学素子を長さ方向両端で保持しネジで外側から光学箱に固定される保持部材と、を備え、
前記ネジ穴に挿入されるネジの締付方向は前記光学素子の一端を作業者側から見て右ネジとしたとき、他端を作業者側から見て左ネジとすることを特徴とする光走査装置。
【請求項２】
光源からの光を偏向素子にて偏向し、被走査面上を走査露光する光走査装置であって、
前記光源から発せられた光を反射又は屈折させる光学素子と、
前記光学素子を長さ方向両端で保持しネジで内側から光学箱に固定される保持部材と、を備え、
前記ネジ穴に挿入されるネジの締付方向は前記光学素子の一端を作業者側から見て右ネジとしたとき、他端を作業者側から見て左ネジとすることを特徴とする光走査装置。
【請求項３】
光源からの光を偏向素子にて偏向し、被走査面上を走査露光する光走査装置であって、
前記光源から発せられた光を反射又は屈折させる光学素子と、
前記光学素子を長さ方向両端で保持しネジで一端を外側から、他端を内側から光学箱に固定される保持部材と、を備え、
前記ネジ穴に挿入されるネジの締付方向は作業者側から見て同じとすることを特徴とする光走査装置。
【請求項４】
前記光学箱の内側に固定される前記保持部材の前記ネジ穴に対向する前記光学箱の壁面に治具挿入穴を設けたことを特徴とする請求項２乃至請求項３の何れかに記載の光走査装置。
【請求項５】
前記治具挿入穴から前記光学箱内側に設けられた前記保持部材の前記ネジ穴に向けて延長されたガイドを備えたことを特徴とする請求項４に記載の光走査装置。
【請求項６】
複数の前記光源を備えたことを特徴とする請求項１乃至請求項５の何れかに記載の光走査装置。
【発明の詳細な説明】
【技術分野】
【０００１】
本発明は光走査装置に関し、特に複数の光源を備え複数の光ビームにて走査露光を行う光走査装置に関する。
【背景技術】
【０００２】
従来より、レーザ光による走査露光を行う光走査装置において、レーザ光の光路をミラー等により折り返し感光体に照射することで、光学箱内の限定された空間内で十分な光路長を確保し光走査装置の大きさ（長さ）を小型化する構成が提案されている（例えば、特許文献１参照）。
【０００３】
上記例では、長尺形状の光学部材を両端で保持する光学部材保持機構において光学部材の端部が遊嵌される穴を有するフレームと、穴に遊嵌された光学部材を穴の壁面に押圧する押圧部材とを備え、押圧部材は光学部材の調整方向に回動可能かつ回動位置を固定可能にフレームに設けられている。
【０００４】
上記構成からなる保持機構及び光ビーム走査光学系では、光学部材に対する位置決めの基準は、フレーム又はハウジングに形成した穴の壁面のみであり、押圧部材が光学部材の保持機能と調整機能を合わせ持ち、部品点数が少なくなり、部品の誤差の集積といった不具合が解消され、安定した固定性能及び調整精度を得ることができるという利点がある。
【０００５】
しかし上記例ではハウジング側面に光学部材の保持調整機構がありネジで固定されているが、両端のネジの締め付け方向が異なるためにネジの連れ回りにより光学部材が捻れた状態で固定される恐れがある。
【０００６】
また、光学部材が捻れているために光学部材の応力により調整後に保持機構にズレが生じ調整値の変動が起きる可能性がある。
【０００７】
本発明においては、光学部材調整時に光学部材保持部材を光学箱に締結する際に発生するネジ連れまわりによる保持部材の変形を防ぎ、調整狙い値からのずれを低減させる。
【０００８】
特に複数の光源を持つタンデム機などは光学部材調整において色間差を低減させることが重要であるため本発明の効果は期待できる。
【特許文献１】特開平６−１４８４９０号公報
【発明の開示】
【発明が解決しようとする課題】
【０００９】
本発明は上記事実を考慮し、光学部材を保持する保持部材のネジ止めで保持部材が変形しない光走査装置を提供することを目的とする。
【課題を解決するための手段】
【００１０】
請求項１に記載の光走査装置は、光源からの光を偏向素子にて偏向し、被走査面上を走査露光する光走査装置であって、前記光源から発せられた光を反射又は屈折させる光学素子と、前記光学素子を長さ方向両端で保持しネジで外側から光学箱に固定される保持部材と、を備え、前記ネジ穴に挿入されるネジの締付方向は前記光学素子の一端を作業者側から見て右ネジとしたとき、他端を作業者側から見て左ネジとすることを特徴とする。
【００１１】
上記構成の発明では、保持部材をネジで固定する際にネジ締結方向の回転移動方向を同一方向に合わせて締結することにより、締結時のネジ連れまわりによる光学部材のネジレを低減することができ、光学部材のネジズレよる像面の傾き等による各特性を改善することができる。
【００１２】
請求項２に記載の光走査装置は、光源からの光を偏向素子にて偏向し、被走査面上を走査露光する光走査装置であって、前記光源から発せられた光を反射又は屈折させる光学素子と、前記光学素子を長さ方向両端で保持しネジで内側から光学箱に固定される保持部材と、を備え、前記ネジ穴に挿入されるネジの締付方向は前記光学素子の一端を作業者側から見て右ネジとしたとき、他端を作業者側から見て左ネジとすることを特徴とする。
【００１３】
上記構成の発明では、保持部材をネジで固定する際にネジ締結方向の回転移動方向を同一方向に合わせて締結することにより、締結時のネジ連れまわりによる光学部材のネジレを低減することができ、光学部材のネジズレよる像面の傾き等による各特性を改善することができ、さらに保持部材を筐体の内側に配置することにより筐体外からの衝撃による調整後のズレを低減することができる。
【００１４】
請求項３に記載の光走査装置は、光源からの光を偏向素子にて偏向し、被走査面上を走査露光する光走査装置であって、前記光源から発せられた光を反射又は屈折させる光学素子と、前記光学素子を長さ方向両端で保持しネジで一端を外側から、他端を内側から光学箱に固定される保持部材と、を備え、前記ネジ穴に挿入されるネジの締付方向は作業者側から見て同じとすることを特徴とする。
【００１５】
上記構成の発明では、保持部材をネジで固定する際にネジ締結方向の回転移動方向を同一方向に合わせて締結することにより、締結時のネジ連れまわりによる光学部材のネジレを低減することができ、光学部材のネジズレよる像面の傾き等による各特性を改善することができる。また保持部材の締結に用いるネジは全て同じものを使用できる。
【００１６】
請求項４に記載の光走査装置は、前記光学箱の内側に固定される前記保持部材の前記ネジ穴に対向する前記光学箱の壁面に治具挿入穴を設けたことを特徴とする。
【００１７】
上記構成の発明では、保持部材をネジで固定する際に逆側の筐体側面からドライバ等を挿入し固定する時、治具挿入穴を設けたことで対向する保持部材が互いに干渉しネジ止めの邪魔となることを防ぐことができる。
【００１８】
請求項５に記載の光走査装置は、前記治具挿入穴から前記光学箱内側に設けられた前記保持部材の前記ネジ穴に向けて延長されたガイドを備えたことを特徴とする。
【００１９】
上記構成の発明では、保持部材をネジで固定する際に逆側の筐体側面からドライバ等を挿入し固定する時、ガイドを通すことでドライバ等の接触による光学部材の損傷を防ぐことができる。
【００２０】
請求項６に記載の光走査装置は、複数の前記光源を備えたことを特徴とする。
【００２１】
上記構成の発明では、複数の光源をもち複数の走査線を同時走査する光走査装置においても走査線の色間差等の性能を向上させることが可能となる。 
【発明の効果】
【００２２】
本発明は上記構成としたので、光学素子を保持する保持部材のネジ止めで光学素子が変形しない光走査装置とすることができた。
【発明を実施するための最良の形態】
【００２３】
＜装置概要＞
図１には本発明に係る光走査装置が示されている。
【００２４】
図１は本発明に係る光走査装置の内部構造を示す断面図である。
【００２５】
図１に示すように光走査装置１０はイエロー（Ｙ）、マゼンタ（Ｍ）、シアン（Ｃ）、ブラック（Ｋ）用の各感光体ドラム４０Ｙ〜４０Ｋに図示しない光源より発せられたレーザ光２１Ｙ〜２１Ｋを照射する。
【００２６】
感光体ドラム４０Ｙ〜４０Ｋは、共通の接平面を有するように一定の間隔をおいて配置されている。各色毎の画像情報に応じた信号は、図示しない画像処理ユニットにより光源に入力される。光源では、イエロー（Ｙ）、マゼンタ（Ｍ）、シアン（Ｃ）、ブラック（Ｋ）の各色のレーザ光が変調され、対応する色の感光体ドラム４０Ｙ〜４０Ｋに照射される。
【００２７】
光走査装置１０を含む画像形成装置本体において、上記各感光体ドラム４０Ｙ〜４０Ｋでは周知の電子写真方式による各色毎の画像形成プロセスが行なわれる。まず、上記感光体ドラム４０Ｙ〜４０Ｋとしては例えばＯＰＣ感光体を用いた感光体ドラムが用いられ、これらの感光体ドラム４０Ｙ〜４０Ｋは回転駆動される。上記感光体ドラム４０Ｙ〜４０Ｋの表面は帯電ロールによってＤＣ電圧を印加することで例えば約−３００Ｖ程度に帯電される。
【００２８】
表面電位を印加された感光体ドラム４０Ｙ〜４０Ｋの表面には、露光装置としての光走査装置１０によってイエロー（Ｙ）、マゼンタ（Ｍ）、シアン（Ｃ）、ブラック（Ｋ）の各色に対応したレーザ光２１Ｙ〜２１Ｋが照射され、各色毎の入力画像情報に応じた静電潜像が形成される。
【００２９】
光走査装置１０でレーザ光２１Ｙ〜２１Ｋが照射され、画像が書き込まれることにより、感光体ドラム４０Ｙ〜４０Ｋ上の画像露光部の表面電位は画線部、すなわち露光した箇所が除電され静電潜像が形成される。
【００３０】
次いで、上記感光体ドラム４０Ｙ〜４０Ｋの表面に形成されたイエロー（Ｙ）、マゼンタ（Ｍ）、シアン（Ｃ）、ブラック（Ｋ）の各色に対応した静電潜像は、対応する色の現像装置（図示せず）によって現像され、感光体ドラム４０Ｙ〜４０Ｋ上にイエロー（Ｙ）、マゼンタ（Ｍ）、シアン（Ｃ）、ブラック（Ｋ）の各色のトナー像として現像され可視化される。
【００３１】
各現像装置には、それぞれ色の異なったイエロー（Ｙ）、マゼンタ（Ｍ）、シアン（Ｃ）、ブラック（Ｋ）色のトナー及びキャリアからなる現像剤が充填されている。これらの現像装置はトナー補給装置からトナーが補給され、補給されたトナーは各現像装置内部のオーガーで充分にキャリアと攪拌されて摩擦帯電される。キャリアと攪拌されて摩擦帯電されたトナーは図示しない現像ロール上で磁気ブラシを形成して感光体ドラム３２Ｙ〜３２Ｋと接触している。現像ロールに現像バイアス電圧を印加して、現像ロール上のトナーを感光体ドラム４０Ｙ〜４０Ｋ上に形成された静電潜像にトナーを転写することにより、イエロー（Ｙ）、マゼンタ（Ｍ）、シアン（Ｃ）、ブラック（Ｋ）の各色のトナー画像が形成される。このトナー画像を図示しない用紙Ｐあるいは中間転写ベルトなどの被転写体上に転写することでカラー画像が形成される。すなわち、上記各感光体ドラム４０Ｙ〜４０Ｋ上に形成されたイエロー（Ｙ）、マゼンタ（Ｍ）、シアン（Ｃ）、ブラック（Ｋ）の各色のトナー像が被転写体上に位置合わせを行い、重ねてそれぞれ転写される。
【００３２】
所定の方向（例えば図中上から下）に被転写体が搬送されると被転写体上ではＹ単色像上にシアン（Ｃ）、マゼンタ（Ｍ）、ブラック（Ｋ）色が転写され、四重色像として最終的なフルカラートナー像が形成される。被転写体が中間転写ベルトあるいはドラムであれば最後に用紙Ｐ上にフルカラートナー像が転写される。用紙Ｐ上に形成されたイエロー（Ｙ）、マゼンタ（Ｍ）、シアン（Ｃ）、ブラック（Ｋ）のフルカラートナー像は図示しない定着器によって熱溶着されることで用紙Ｐ上に定着され、一連の画像形成プロセスが完了する。
【００３３】
＜光学素子の固定＞
図２には本発明に係る光走査装置の側面が示されている。
【００３４】
図１に示すように、光走査装置１０の筐体１１内部にはミラー２２に代表される光学素子が設けられ、ポリゴンミラー２０で偏向されたレーザ光２１の光路を折り曲げることで光走査装置１０のサイズを抑え、画像形成装置全体の大きさを抑えることができる。
【００３５】
このミラー２２等の光学素子を支持固定するため、図２に示すように筐体１１の側面にはミラー２２を支持する保持部材１２が設けられ、４箇所あるネジ穴のうち何れか１箇所を仮止めし、これを基準位置として残る３箇所を締結する方法でネジ１８により固定されている。
【００３６】
このとき、図３（Ａ）に示すように筐体１１に保持部材１２をネジ止めする際には作業者から見て手前側の保持部材を１２、奥側の保持部材を１２’とすると、保持部材１２を固定するネジ１８は締め付けの際に時計回り方向にトルクが働き、連れ回りによって図３（Ｂ）のように全体として時計回り方向に回動しようとする。
【００３７】
これに対して奥側の保持部材１２’を固定するネジ１８’は手前側から見て反時計回りに締め付けられるため、連れ回りによって図３（Ｂ）のように全体として反時計回り方向に回動しようとする方向に力が働く。
【００３８】
これにより、保持部材１２と１２’とで保持される光学素子（ここではミラー２２）は長さ方向両端部を逆方向に回動させようとする力が働くため捻れが発生する。この状態で固定されればミラー２２が捻れた状態で固定されてしまう虞があり、走査線形状が悪化する。あるいは正しく調整できたとしてもミラー２２自体の応力によって調整／固定後にズレが発生し、径時と共にミラー２２の調整値（角度／位置）が変動する可能性がある。
【００３９】
特に、複数の光走査装置１０を並べて画像を合成するタンデム型の光走査装置などは、１本の走査線形状が崩れただけでも良好な画像を提供できなくなってしまう。すなわち、フルカラー画像形成装置では１色のみのズレでも色むらとなって全体の画質を劣化させるため、上記の連れ回りによるミラー２２の捻れによる画質への影響は大きい。
【００４０】
そこで本発明では上記の連れ回りによる保持部材１２の回動をミラー２２の両端で同じ方向に揃えることで、ミラー２２の捻れを防止する。
【００４１】
＜右ネジ／左ネジ＞
図４には本発明の第１実施形態に係る光走査装置の光学素子および保持部材が示されている。
【００４２】
図４に示すように、ミラー２２を保持する保持部材１２、１２’を筐体１１に固定しているネジ１８および１８’はそれぞれ右ネジ、左ネジとなっている。
【００４３】
これにより保持部材１２をネジ１８で締め付けた際の供回りによる保持部材１２の回動は作業者からみて反時計回りとなり、対して保持部材１２’をネジ１８’で締め付けた際の供回りによる保持部材１２の回動は作業者からみて時計回りとなる。
【００４４】
すなわち保持部材１２、１２’によりミラー２２は長さ方向両端を同じ方向に回動するように力がかかるため、ミラー２２が捻れることはない。
【００４５】
＜内側固定／外側固定＞
図５には本発明の第２実施形態に係る光走査装置の光学素子および保持部材が示されている。
【００４６】
図５に示すように、ミラー２２を保持する保持部材１２は筐体１１の内側から、保持部材１２’は筐体１１の外側からそれぞれネジ１８で固定されている。
【００４７】
これにより保持部材１２、１２’をネジ１８で締め付けた際の供回りによる保持部材１２の回動は作業者からみて時計回りとなる。すなわち保持部材１２、１２’によりミラー２２は長さ方向両端を同じ方向に回動するように力がかかるため、ミラー２２が捻れることはない。
【００４８】
また、保持部材１２’を筐体１１の内側に設置することにより、ミラー２２の調整後に画像形成装置内に光走査装置１０を設置する際などに生じる外力（衝撃など）による保持部材１２’の調整ズレを防止することができる。
【００４９】
＜内側固定／右ネジ／左ネジ＞
図６には本発明の第３実施形態に係る光走査装置の光学素子および保持部材が示されている。
【００５０】
図６に示すように、ミラー２２を保持する保持部材１２、１２’は筐体１１の内側にネジ１８、１８’で固定され、ネジ１８および１８’はそれぞれ右ネジ、左ネジとなっている。
【００５１】
これにより保持部材１２をネジ１８で締め付けた際の供回りによる保持部材１２の回動は作業者からみて反時計回りとなり、対して保持部材１２’をネジ１８’で締め付けた際の供回りによる保持部材１２の回動は作業者からみて時計回りとなる。
【００５２】
すなわち保持部材１２、１２’によりミラー２２は長さ方向両端を同じ方向に回動するように力がかかるため、ミラー２２が捻れることはない。
【００５３】
また、保持部材１２、１２’を筐体１１の内側に設置することにより、ミラー２２の調整後に画像形成装置内に光走査装置１０を設置する際などに生じる外力（衝撃など）による保持部材１２’の調整ズレを防止することができる。さらに、保持部材１２、１２’を筐体１１の内側に配置するので、光走査装置１０を小型化することもできる。 
【００５４】
＜穴位置ずらし＞
図７には本発明の第４実施形態に係る光走査装置の光学素子および保持部材が示されている。
【００５５】
図７に示すように、ミラー２２を保持する保持部材１２、１２’は筐体１１の内側にネジ１８、１８’で固定され、ネジ１８および１８’はそれぞれ右ネジ、左ネジとなっている。
【００５６】
これにより保持部材１２をネジ１８で締め付けた際の供回りによる保持部材１２の回動は作業者からみて反時計回りとなり、対して保持部材１２’をネジ１８’で締め付けた際の供回りによる保持部材１２の回動は作業者からみて時計回りとなる。
【００５７】
すなわち保持部材１２、１２’によりミラー２２は長さ方向両端を同じ方向に回動するように力がかかるため、ミラー２２が捻れることはない点は第３実施形態と同様である。
【００５８】
また、保持部材１２、１２’を筐体１１の内側に設置することにより、ミラー２２の調整後に画像形成装置内に光走査装置１０を設置する際などに生じる外力（衝撃など）による保持部材１２’の調整ズレを防止することができる。さらに、保持部材１２、１２’を筐体１１の内側に配置するので、光走査装置１０を小型化することもできる。 
【００５９】
ここで、筐体１１の外側に保持部材１２を取り付ける第１実施形態であれば問題はないが、筐体１１の内側に保持部材１２／１２’を取り付ける場合、保持部材１２が保持部材１２’のネジ穴１２Ａ’に干渉してネジ締め付けの邪魔となる可能性がある。
【００６０】
そこで本実施形態では筐体１１にネジ締め穴１８Ｂ、１８Ｂ’を設け、対向する保持部材１２、１２’のネジ１８、１８’の締め付けをドライバ４１でネジ締め穴１８Ｂ、１８Ｂ’を通して行う。
【００６１】
これにより図７に示すように筐体１１の反対側からネジ締め穴１８Ｂ、１８Ｂ’を通して保持部材１２、１２’のネジ止めを行うことができる。
【００６２】
あるいは保持部材１２のみ筐体１１の外側からネジ止めするようにしてもよい。この場合はネジ１８のみ筐体１１の外側からネジ止めすることになるので、ネジ１８、１８’ともに右ネジ（あるいは左ネジ）に揃えることができる。
【００６３】
＜穴位置ずらし＞
図８には本発明の第５実施形態に係る光走査装置の光学素子および保持部材が示されている。
【００６４】
図８に示すように、ミラー２２を保持する保持部材１２、１２’は筐体１１の内側にネジ１８、１８’で固定され、ネジ１８および１８’はそれぞれ右ネジ、左ネジとなっている。
【００６５】
これにより保持部材１２をネジ１８で締め付けた際の供回りによる保持部材１２の回動は作業者からみて反時計回りとなり、対して保持部材１２’をネジ１８’で締め付けた際の供回りによる保持部材１２の回動は作業者からみて時計回りとなる。
【００６６】
すなわち保持部材１２、１２’によりミラー２２は長さ方向両端を同じ方向に回動するように力がかかるため、ミラー２２が捻れることはない点は第４実施形態と同様である。
【００６７】
また、保持部材１２、１２’を筐体１１の内側に設置することにより、ミラー２２の調整後に画像形成装置内に光走査装置１０を設置する際などに生じる外力（衝撃など）による保持部材１２’の調整ズレを防止することができる。さらに、保持部材１２、１２’を筐体１１の内側に配置するので、光走査装置１０を小型化することもできる。 
【００６８】
本実施形態では筐体１１ではなく保持部材１２、１２’にネジ締め穴１８Ｂ、１８Ｂ’を設け、対向する保持部材１２、１２’のネジ１８、１８’の締め付けをドライバ４１でネジ締め穴１８Ｂ、１８Ｂ’を通して行う。但しこのときドライバ４１が通る大きさの貫通穴が筐体１１に設けられている必要があるのは言うまでもない。
【００６９】
これにより図８に示すように筐体１１の反対側からネジ締め穴１８Ｂ、１８Ｂ’を通して保持部材１２、１２’のネジ止めを行うことができる。この場合、保持部材１２、１２’の形状を第３実施形態よりも自由に設定できる利点がある。
【００７０】
あるいは保持部材１２のみ筐体１１の外側からネジ止めするようにしてもよい。この場合はネジ１８のみ筐体１１の外側からネジ止めすることになるので、ネジ１８、１８’ともに右ネジ（あるいは左ネジ）に揃えることができる。
【００７１】
＜ガイド＞
図９には本発明の第６実施形態に係る光走査装置の筐体及び保持部材が示されている。
【００７２】
図９（Ａ）に示すように、筐体１１には保持部材１２／１２’のネジ１８／１８’を締め付けるドライバ４１をガイドし、対向する保持部材１２／１２’のネジ１８／１８’締め付け位置へドライバ４１の先端を導くためのガイド部１８Ｃが設けられている。
【００７３】
保持部材１２／１２’の少なくとも一方が筐体１１の内部に設けられている場合、保持部材１２／１２’を締結するためには筐体１１の逆側よりネジ１８／１８’を締め付けなければならないため、ドライバ４１を挿入した際にミラー２２などの光学部材等にドライバ４１が接触し、光学部材等の性能を損なう恐れがある。
【００７４】
このため図９（Ａ）に示すように筐体１１にガイド部１８Ｃを設け、ガイド部１８Ｃの中にドライバ４１を通すことでドライバ４１の先端をガイドし、ミラー２２等への接触を防ぐ一方で、対向する保持部材１２’のネジ１８’へドライバ４１の先端をガイドすることができる。
【００７５】
あるいは図９（Ｂ）に示すように、保持部材１２にガイド部１８Ｃを設けてもよい。このときは保持部材１２、１２’のうち先に筐体１１へ取り付けた方がガイドの役割を果たす。また、保持部材１２、１２’のうち一方を筐体１１の外側から取り付けるようにしてもよい。この場合はネジ１８、１８’を共通部品とすることができる。
【００７６】
＜その他＞
以上、本発明の実施例について記述したが、本発明は上記の実施例に何ら限定されるものではなく、本発明の要旨を逸脱しない範囲において種々なる態様で実施し得ることは言うまでもない。
【００７７】
すなわち本発明は画像形成装置の書き込み系装置について書かれているが、画像形成装置の書き込み系、つまりスキャナユニット等の光学部材保持部についても応用することもできる。
【００７８】
また本実施形態では４色フルカラーレーザビームプリンタを例に挙げたが、これに限定せず例えば３色以下または５色以上のプリンタでもよいことは言うまでもない。
【００７９】
あるいは保持部材で保持する光学素子は必ずしもミラーでなくレンズその他の素子でも差し支えはない。
【００８０】
さらに偏向素子はポリゴンミラーを用いたが、レゾナントスキャナやガルバノミラーであっても差し支えはない。
【図面の簡単な説明】
【００８１】
【図１】本発明に係る光走査装置を示す断面図である。
【図２】本発明に係る光走査装置の側面を示す図である。
【図３】従来の保持部材の固定方法を示す図である。
【図４】本発明の第１形態に係る保持部材の固定方法を示す図である。
【図５】本発明の第２形態に係る保持部材の固定方法を示す図である。
【図６】本発明の第３形態に係る保持部材の固定方法を示す図である。
【図７】本発明の第４形態に係る保持部材の固定方法を示す図である。
【図８】本発明の第５形態に係る保持部材の固定方法を示す図である。
【図９】本発明の第６形態に係る保持部材の固定方法を示す図である。
【符号の説明】
【００８２】
１０    画像形成装置
１１    筐体
１２    保持部材
１８    ネジ
１８Ａ  ネジ穴
１８Ｂ  ネジ締め穴
１８Ｃ  ガイド部
２０    ポリゴンミラー
２１    レーザ光
２２    ミラー
４０    感光体ドラム
４１    ドライバ 
【図１】
2008096785.tif 000003
【図２】
2008096785.tif 000004
【図３】
2008096785.tif 000005
【図４】
2008096785.tif 000006
【図５】
2008096785.tif 000007
【図６】
2008096785.tif 000008
【図７】
2008096785.tif 000009
【図８】
2008096785.tif 000010
【図９】
2008096785.tif 000011